(57)【要約】【課題】局部的な温度上昇を防ぎ、小型化かつ組立作業性が良好な開閉操作および回転操作可能な表示装置を有する撮像装置を、外観に影響を与えずに提供すること。【解決手段】撮像装置１は、表示装置３と、表示装置の開閉操作及び回転操作を可能とするヒンジ部２と、第一の電子回路基板２５と、第二の電子回路基板２９と、第一の電子回路基板に配置された第一の発熱体２４と、第二の電子回路基板に配置された第二の発熱体３４と、第一及び第二の電子回路基板を接続するケーブルハーネス３２と、表示装置の表示部と第二の電子回路基板とを接続するフレキシブルプリント基板（ＦＰＣ）３１と、を有し、第一及び第二の発熱体が略積層状態とならないように配置される。ケーブルハーネスはヒンジ部の略中央部に位置し、ケーブルハーネスとＦＰＣが表示装置の同一端面から略積層状態にて延出し、ＦＰＣの一部にケーブルハーネスの逃げ部となる切欠き部が設けられる。【選択図】図５
2019168639.tif 000002
【特許請求の範囲】
【請求項１】
平板状の表示装置と、前記表示装置の開閉操作及び回転操作を可能とするヒンジ部と、撮像装置に設けられた第一の電子回路基板と、表示装置に設けられた第二の電子回路基板と、前記第一の電子回路基板に配置された第一の発熱体と、前記第二の電子回路基板に配置された第二の発熱体と、前記第一の電子回路基板及び前記第二の電子回路基板を接続するケーブルハーネスと、前記表示装置の表示部と前記第二の電子回路基板を接続するフレキシブルプリント基板（ＦＰＣ）と、を有し、前記第一の発熱体と前記第二の発熱体が略積層状態とならないように配置されている撮像装置において、
前記ケーブルハーネスは前記ヒンジ部の略中央部に位置しており、
前記ケーブルハーネスと前記ＦＰＣが前記表示装置の同一端面から略積層状態にて延出されており、
前記ＦＰＣの一部に前記ケーブルハーネスの逃げ部となる切欠き部を設けていることを特徴とする撮像装置。
【請求項２】
前記ＦＰＣは前記表示部から延出された後、略１８０°折り返された構成であることを特徴とする請求項１に記載の撮像装置。
【請求項３】
前記ケーブルハーネスは前記表示装置内で断面形状が円形形状から平板状に変化することを特徴とする請求項１に記載の撮像装置。
【発明の詳細な説明】
【技術分野】
【０００１】
本発明は、開閉操作および回転操作可能な表示装置を有する撮像装置に関し、特に撮像装置の熱対策と表示装置の小型化を達成するための構造に関するものである。
【背景技術】
【０００２】
従来、デジタルカメラなどの撮像装置において、撮像素子から出力された信号を撮像装置の外観に設けられた表示装置に表示して、撮影前に構図や露出を確認することができるライブビュー機能を有するものがある。この様な撮像装置において、極端なローアングルやハイアングルにおいて表示装置の視認性を確保するために、特許文献１のように、撮像装置本体に対して開閉操作及び回転操作が可能なように装着されたバリアングル表示装置を搭載したものが提案されている。これによると、撮像装置内部の電子回路基板に実装されたＣＰＵ（第一の発熱体）は撮像装置背面側から見て右側に配設されている。
【０００３】
また、バリアングル表示装置を表示させるためのバックライト（第二の発熱体）はバリアングル表示装置が全閉状態おいて、撮像装置背面側から見て右側に配設されている。さらに、バリアングル表示装置内において、撮像装置の電子回路基板とバリアングル表示装置を電気的に接続するケーブルハーネスは、表示装置に設けられたバリアングルヒンジ側から延出されている。
【０００４】
一方、バリアングル表示装置とバリアングル表示装置の電気回路基板を電気的に接続するフレキシブルプリント基板（以下ＦＰＣと称す）は、表示装置に設けられたバリアングルヒンジ部と反対側から延出されている。
【０００５】
また特許文献２ではバリアングル表示装置を保護する保護フレームが貫挿する穴を配線シートに対して設けることで、保護フレームの外力に対する耐圧強度を有した表示装置を搭載したものが提案されている。
【先行技術文献】
【特許文献】
【０００６】
【特許文献１】特開２０１２−６０５０８号公報
【特許文献２】特開２０１０−７９００１号公報
【発明の概要】
【発明が解決しようとする課題】
【０００７】
しかしながら、上述の特許文献１に開示された従来技術では、バリアングル表示装置が全閉状態において、発熱源となるＣＰＵ（第一の発熱体）とバックライト（第二の発熱体）が略積層状態となる。この場合、撮像装置が局部的に温度上昇し、場合によっては電気素子が熱破壊を起こすことが考えられる。これら問題を防ぐために、温度上昇の懸念がある部位について、ある一定温度以上にならないような制御、例えば消費電力の大きい録画機能において、録画時間に制限をかけるといった仕様を撮像装置に盛り込んでいるカメラが提案されている。しかし、ユーザにとって録画時間に制限がかかることは、使用環境に制約を受けることになってしまう。
【０００８】
一方、前記ケーブルハーネスについては、ケーブルハーネスの断線を防止するためＴＦＴモジュールを避けるように屈曲させる必要があり、そのための屈曲スペースが必要となる。また、前記ＦＰＣについては、ＴＦＴモジュール裏面に配設された電子回路基板と接続するために、延出部直近において１８０°折り返す必要があり、折り返すためのスペースが必要となる。つまり、バリアングルヒンジ部側およびバリアングルヒンジ部と反対側の両側に、ある一定のスペースが必要となるため、この構成の場合、表示装置を小型化することが難しい。
【０００９】
特許文献２に開示された従来技術では、開閉操作および回動動作が可能なバリアングル表示装置にバリアングルヒンジユニットを有するものに対して本構成を採用した場合、バリアングルヒンジユニットの外側にＦＰＣが露出する問題が発生してしまう。
【００１０】
以上より本発明の目的は、局部的な温度上昇を防ぎ、さらに、小型化かつ組立作業性が良好な開閉操作および回転操作可能な表示装置を有する撮像装置を、外観に影響を与えずに実現することである。
【課題を解決するための手段】
【００１１】
上記目的を達成するために、本発明は、平板状の表示装置と、前記表示装置の開閉操作及び回転操作を可能とするヒンジ部と、撮像装置に設けられた第一の電子回路基板と、表示装置に設けられた第二の電子回路基板と、前記第一の電子回路基板に配置された第一の発熱体と、前記第二の電子回路基板に配置された第二の発熱体と、前記第一の電子回路基板及び前記第二の電子回路基板を接続するケーブルハーネスと、前記表示装置の表示部と前記第二の電子回路基板を接続するフレキシブルプリント基板と、を有し、前記第一の発熱体と前記第二の発熱体が略積層状態とならないように配置されている撮像装置において、前記ケーブルハーネスは前記ヒンジ部の略中央部に位置しており、前記ケーブルハーネスと前記ＦＰＣが前記表示装置の同一端面から略積層状態にて延出されており、前記ＦＰＣの一部に前記ケーブルハーネスの逃げ部となる切欠き部を設けていることを特徴とする。
【発明の効果】
【００１２】
本発明によれば、局部的な温度上昇を防ぎ、さらに、小型化かつ組立作業性が良好な開閉操作および回転操作可能な表示装置を有する撮像装置を、外観に影響を与えずに実現することができる。
【図面の簡単な説明】
【００１３】
【図１】本発明の一実施の形態に係る撮像装置の表示装置を全閉状態および全開状態にして背面側から見た外観斜視図。
【図２】本発明の一実施の形態に係る撮像装置の表示装置を全開状態として背面側から見た内部構成の詳細を示す斜視図。
【図３】本発明の一実施の形態に係る撮像装置の表示装置の分解斜視図。
【図４】本発明の一実施の形態に係るＦＰＣの詳細を示す斜視図。
【図５】ヒンジ部及び表示装置の内部構成を示す斜視図。
【図６】本発明の第一の実施の形態に係る撮像装置の特徴的な構成を示した表示装置の背面図、断面図および詳細図。
【発明を実施するための形態】
【００１４】
以下に、本発明の好ましい実施の形態を、添付の図面に基づいて詳細に説明する。図１を用いて、本発明の実施例による、バリアングル表示装置を有する撮像装置の一実施形態について説明する。図１は本実施例の撮像装置１を撮影者側から見た外観斜視図である。図１（ａ）は表示装置３の全閉状態、図１（ｂ）は表示装置３の全開状態を示す。以降、被写体側を前側、撮影者側を後側とし、左右方向については、撮影者側から見た方向を基準とする。また、表示装置３の構成部品に対する前後、左右方向の呼称については、全閉状態における方向で呼称する。
【００１５】
図１（ａ）に示すように、撮像装置１にヒンジ部２を介して表示装置３が開閉回転操作可能に連結されている。ヒンジ部２は、樹脂で形成されたカバー２（ａ）によって覆われている。図１（ｂ）に示すように、撮像装置１には電源を入り切りする本体電源スイッチ４、レリーズスイッチ５、各種操作を行う操作釦群６が設けられる。
【００１６】
撮像装置１にはファインダ７が設けられており、本実施例では一例として光学ファインダを示している。撮像装置１の外装を構成しているバックカバー８は樹脂で形成されている。表示装置３は撮影及び再生画像表示・シャッタ速度や絞り数値、撮影枚数及びメニュー等を表示するための表示部９を有している。表示部９は例えば液晶ディスプレイ（以下ＬＣＤ：Ｌｉｑｕｉｄ  Ｃｒｙｓｔａｌ  Ｄｉｓｐｌａｙと称す）から構成されたＬＣＤモジュールである。
【００１７】
撮像装置１の内部には後述する撮像素子や撮影光学系が配置され、光軸方向より入光した被写体像が、撮像光学系により、撮像素子に結像されるよう構成されている。ヒンジ部２はバックカバー８と一体化されており、表示装置３はヒンジ部２によって回転し、撮像装置１に対して開閉可能に結合されている。ヒンジ部２の第一の回転中心軸Ａにより回転し、表示装置３が開いている状態でさらにヒンジ部２の第二の回転中心軸Ｂにより回転をさせることで、撮影者はより自由なアングルにて撮影を行うことができる。
【００１８】
図２を用いて撮像装置１および表示装置３の内部構成を説明する。なお図２は、表示装置３を全開状態にした後、表示部９が前面側に向くように回転操作させた状態を示している。図２は撮像装置１を背面側から見た斜視図である。撮像装置１の内部構成を説明するために、撮像装置１/ヒンジ部２/表示装置３の外装カバーの一部を非表示にしている。
【００１９】
ヒンジ部２は不図示のバックカバー８と位置決め固定された金属プレート２２に位置決め固定されている。これは、撮影者が撮像装置１を使用中に、表示装置３に過度な負荷がかかってしまった場合、若しくは不用意に表示装置３を衝突させてしまった際に容易に破損することがないよう金属プレート２２に強固に固定されている。２３はメインシャーシを示しており、撮像装置１の筐体として強度を要するため、本実施例では樹脂と金属のインサート構成を採用している。メインシャーシ２３の後側には撮像装置１を駆動させるＣＰＵ（第一の発熱体）２４等を備えた第一の電子回路基板２５が配設されており、メインシャーシ２３へ位置決め固定されている。
【００２０】
第一の電子回路基板２５のカメラ光軸上には、撮像素子を有する撮像素子ユニット１００が配設されている。撮像装置１の薄型のため、第一の電子回路基板２５の撮像素子ユニット１００に相当する領域は切り欠かれている。撮像素子ユニット１００の右側から延出されたＦＰＣ１０１によって撮像素子ユニット１００と第一の電子回路基板とを接続部１０２を介して電気的に接続されている。本実施例において、ＣＰＵ（第一の発熱体）２４は撮像素子の通信効率を優先して、ＦＰＣ１０１の第一の電子回路基板２５との接続部１０２の近傍、つまり、斜線部で示した背面側から見て第一の電子回路基板２５の右側に配設されている。
【００２１】
次に、図３、図４を用いて表示装置３の内部構成について説明する。図３は表示装置３の分解斜視図である。図４は本発明の一実施の形態に係るＦＰＣの詳細を示す斜視図である。図３に示すように、表示装置３は、前ケース２６、表示部９、表示部９を前ケース２６に固定するための貼り付け部材２７、保持部材２８、第二の電子回路基板２９、後ケース３０等を有する。３４はバックライトであり、ＬＥＤ等を複数個使用している。ＦＰＣ３１は表示部９を表示させるためのバックライト（第二の発熱体）３４を備えており、バックライト（第二の発熱体）の通信効率を考慮して、表示装置３のバックライト（第二の発熱体）３４近傍から延出されている。
【００２２】
本実施例において、バックライト（第二の発熱体）３４は表示部９のヒンジ部２側に配設されている。つまり、前述した通りＣＰＵ（第一の発熱体）２４は背面側から見て右側に設けられているため、撮像装置１が全閉状態の際、バックライト（第二の発熱体）３４がＣＰＵ（第一の発熱体）２４と略積層状態とならないよう配設することで、発熱部が分散される。こうすることで、局部的な温度上昇が避けられるため、電気素子の熱破壊や、録画時間に制限をかけるといったユーザの使用環境に制約を与える問題が回避される。
【００２３】
図４に示すように、ＦＰＣ３１は、表示部９から延出された後、向きを変えるように１８０°折り返される。その後、保持部材２８に取り付けられた第二の電子回路基板２９上のコネクタ２９（ａ）と接続されることで、表示部９と第二の電子回路基板２９が電気的に接続される。なお、第二の電子回路基板２９は略長方形の形状をしており、表示部９及びバックライト（第二の発熱体）３４を駆動するためのドライバや周辺回路が搭載されている。ＦＰＣ３１が１８０°折り返された領域で、表示部９の上下方向に対して略中央に相当する範囲に逃げ部５０を設けているが、これについては後述する。
【００２４】
ヒンジ部２の穴部４５に挿通されたケーブルハーネス３２の表示装置３側の端部３２（ａ）は、第二の電子回路基板２９に設けられたコネクタ２９（ｂ）と接続されている。一方、撮像装置１側の端部３２（ｂ）は、第一の電子回路基板２５に設けられたコネクタ３３と接続されている。このためケーブルハーネス３２により、第一の電子回路基板２５から第二の電子回路基板２９へ電源供給および表示内容の信号供給が行われる。
【００２５】
保持部材２８は導電性を有しており、前面側において、表示部９の後面およびその側面を包むように保持し、後面側には第二の電子回路基板２９が位置決め固定されている。保持部材２８の上下には、前ケース２６に対してガタ寄せするための腕部２８（ａ）が配設されている。保持部材２８の左右には、ヒンジ部２に設けられた回転板金４０および前ケース２６、後ケース３０を固定するための固定部２８（ｂ）を複数配設されている。さらに、保持部材２８に第二の電子回路基板２９の厚みと略同一の段差を設けた切り起こし形状２８（ｃ）を複数個所設け、切り起こし形状２８（ｃ）にて第二の電子回路基板２９をビス止め固定することで、表示装置３の厚みを抑えている。
【００２６】
以上より、本実施例において、ＦＰＣ３１とケーブルハーネス３２は共に、ヒンジ部２側から延出された構成となっている。
【００２７】
次にヒンジ部２の構成について図５を用いて説明する。なお、図５（ａ）、（ｂ）に示す表示装置３の姿勢は図２で説明した姿勢と同様である。図５（ａ）はヒンジ部２及び表示装置３の内部構成を説明するものであり、表示装置３の後ケース３０、ヒンジ部２のカバー２（ａ）を非表示にしている。
【００２８】
図５（ａ）に示すように、ヒンジ部２は主として、ベース板金３８、開閉板金３９、回転板金４０とから構成されており、強度の高い導電性を有する金属部材からなっている。その他、表示装置３の開閉、回転時に摺動トルクを発生させる不図示のトルクばねや、開閉、回転を規制するためのストッパ部材等を有している。回転板金４０は後ケースと外形で位置決めされている。ヒンジ部２はベース板金３８に設けられた位置決め穴部３８（ａ）、（ｂ）と、金属プレート２２の不図示の凸部を用いて高精度に位置決めされ、ネジ４０（ａ）、（ｂ）により強固に固定されている。
【００２９】
前述したヒンジ部２の穴部４５に挿通されたケーブルハーネス３２は、ヒンジ部２に設けられた中空形状の回転軸４１に挿通され、ヒンジ部２の中で一旦９０°下方に屈曲された後、回転軸４１と直交した中空形状の開閉軸４２に挿通されて第一の電子回路基板２５へと延伸する。なお、開閉回転操作時によるケーブルハーネス３２の断線を防止するために、ケーブルハーネス３２には被覆部が設けられている。
【００３０】
次に表示装置３内のＦＰＣ３１とケーブルハーネス３２の位置関係について説明する。まず始めにＦＰＣ３１の経路について説明する。前述の通りＦＰＣ３１は表示装置３の上下方向の略中央から延出された後、回転板金４０との干渉を回避し向きを変えるために１８０°折り返されている。つまり、延出方向に対してＦＰＣ３１を１８０°折り返すためにある一定のスペースが必要となる。その後、保持部材２８を乗り越えながら略水平方向に延出されることで最短距離で第二の電子回路基板２９の上下方向の略中央部に実装されたコネクタ２９（ａ）と接続されている。
【００３１】
続いてケーブルハーネス３２の経路について説明する。ヒンジ部２の穴部４５は表示装置３の回転軸中心となっており、表示装置３の上下方向の中央部に位置しているため、ケーブルハーネス３２は表示装置３の上下方向の中央部から延出されることになる。また、ヒンジ部２の穴部４５から第二の電子回路基板２９に向かう直後に表示部９が配設されているため、ケーブルハーネス３２と表示部９の干渉を回避するために、ケーブルハーネス３２を屈曲させる必要がある。つまり、ケーブルハーネス３２を屈曲させるためには屈曲部にある一定のスペースが必要となる。
【００３２】
その後、ケーブルハーネス３２は、ＦＰＣ３１が保持部材２８を乗り越える箇所を回避するように一度迂回して第一の電子回路基板２９上に実装されたコネクタ２９（ｂ）と接続される。こうすることで、ＦＰＣ３１とケーブルハーネス３２の経路をお互い妨げることがないように配設可能になるため、表示装置３の厚みスペースを最小限に留めることが可能となる。
【００３３】
さらに、本実施例ではケーブルハーネス３２の断面形状について、円形形状３２（ｃ）から平板状３２（ｄ）へと変化させている。つまり、ケーブルハーネス３２が中空形状の回転軸４１を挿通する際は、回転軸４１の径が大型化しないよう、また、回転軸４１が回転する際に、ヒンジハーネス３２と接触して摩耗することがないよう円形形状３２（ｃ）としている。その後、コネクタ２９（ｂ）に接続されるまでの領域については、表示装置３の厚み方向を抑えるために平板状３２（ｂ）にとしている。
【００３４】
なお、平板状３２（ｄ）の厚みは保持部材２８およびその上部を乗り越えるＦＰＣ３１の厚み以下としている。こうすることで、ケーブルハーネス３２が保持部材２８を乗り越えたとしても保持部材２８と後ケース３０の間の空間を縮小することが可能となるため、表示装置の薄型化が可能となる。
【００３５】
以上のように本構成はＦＰＣ３１およびケーブルハーネス３２がどちらも表示装置３の左側から延出された構成としている。このため、それぞれ屈曲部及び折り返し部に必要なスペースを共有化することが可能となり、さらにケーブルハーネス３２の断面形状を変化させることで表示装置３の小型化に有効な配置となっている。
【００３６】
次に、本実施例における表示装置３のヒンジ部２の穴部４５近傍形状の特徴について図６を用いて説明する。図６（ａ）は表示装置３を前面から見た図、図６（ｂ）は図６（ａ）の回転軸における中央断面図、図６（ｃ）は本実施例の特徴を示した拡大図である。なお図６に示す表示装置３の姿勢は図２で説明した姿勢と同様である。
【００３７】
前述の通り、本実施例において、ＦＰＣ３１とケーブルハーネス３２は共に、ヒンジ部２側から延出された構成となっている。このため、ヒンジ部２の穴部４５から第二の電子回路基板２９に延出する延出部直近において、ケーブルハーネス３２の屈曲部とＦＰＣ３１の折り返し部が積層状態になる。積層状態になることでＦＰＣ３１の折り返し部で生じるＦＰＣ３１の反発力によって、ケーブルハーネス３２がヒンジ部２の穴部４５に押し付けられることでケーブルハーネス３２の被覆部が損傷を受けることが懸念される。
【００３８】
この問題を回避するために本実施例では、ＦＰＣ３１に対して、ケーブルハーネス３２の屈曲部に相当する領域に逃げ部５０を設けている。なお、表示部９の当該当部に関しても逃げ形状５１を設けている。また、ＦＰＣ３１の折り返し部近傍の外形形状に関して、前記逃げ形状５０によって減少した電気回路パターンの面積を補うために、ＦＰＣ３１の一部を拡大している。
【００３９】
以上、本実施例の構成によると、ＦＰＣ３１の折り返し部において、ＦＰＣ３１とケーブルハーネス３２の積層状態が回避されるため、ケーブルハーネス３２の被覆部が損傷を受ける懸念が回避される。また、図６（ｃ）に示すように、ケーブルハーネス３２が通る空間/隙間Ｘを十分確保することが可能となるため、その分さらに表示装置３を小型化することも可能となる。さらに、逃げ部５０は表示装置３の前ケース２６および後ケース３０で覆われた内部で形成されたものであるため、外観に影響を与えることはない。
【００４０】
以上、本発明の好ましい実施形態について説明したが、本発明はこれらの実施形態に限定されず、その要旨の範囲内で種々の変形及び変更が可能である。また、本発明は、デジタルムービーカメラ、携帯型のＰＣ、携帯電話等に適用してもよい。また、本実施形態における表示部としては、バックライト（第二の発熱体）が内蔵された透過型の液晶表示装置やバックライト（第二の発熱体）の代わりに反射板を内蔵した、いわゆる反射型の液晶表示装置のどちらとしてもよい。
【符号の説明】
【００４１】
１・・撮像装置
２・・ヒンジ部
３・・表示装置
９・・表示部
２４・・第一の発熱体
２５・・第一の電子回路基板
２９・・第二の電子回路基板
３１・・ＦＰＣ（フレキシブルプリント基板）
３２・・ケーブルハーネス
３４・・第二の発熱体
５０・・切欠き部
【図１】
2019168639.tif 000003
【図２】
2019168639.tif 000004
【図３】
2019168639.tif 000005
【図４】
2019168639.tif 000006
【図５】
2019168639.tif 000007
【図６】
2019168639.tif 000008